【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
第１の通信ネットワーク内のｅＮｏｄｅＢと複数のモバイル装置との間の通信リンクを確立し、
前記モバイル装置を複数の層のうちの１つにグループ化し、各層は優先度に関連付けられ、
割当てに使用可能な前記第１の通信ネットワーク内の無線周波数（ＲＦ）スペクトル資源の量を通信サーバ内で求め、
前記通信サーバによって、前記第１の通信ネットワークの使用可能なＲＦスペクトル資源の一部を第２の通信ネットワークによるアクセスおよび使用のために割り当て、
前記通信サーバによって、割り当てられたＲＦスペクトル資源の使用を開始してもよいことを前記第２の通信ネットワークに知らせ、
前記通信サーバによって、前記第２の通信ネットワークによる使用のために割り当てられたＲＦスペクトル資源の量を明らかにするトランザクションを、トランザクションデータベース内に記録し、
前記ｅＮｏｄｅＢによって、前記第１の通信ネットワークのネットワーク資源の使用を監視し、
前記ｅＮｏｄｅＢによって、ネットワーク資源の使用が第１の閾値を超えているかどうかを判定し、
前記ｅＮｏｄｅＢによって、前記ネットワーク資源の使用が前記第１の閾値を超えると判定することに応答して、新しいセッションの発生および他の基地局からの追加のモバイル装置のハンドオフを制限し、前記新たなセッションの発生を制限することは、優先度の低い層にグループ化されるモバイル装置のための新しいセッションの発生を制限することを含み、
前記ｅＮｏｄｅＢによって、ネットワーク資源使用のモニタリングに基づいて資源警告メッセージを生成し、他の基地局からの発信およびハンドオフを制限し、
前記資源警告メッセージを前記通信サーバに送信し、
前記通信サーバによって、前記ｅＮｏｄｅＢによって前記第１の通信ネットワークから集められた情報を含む前記資源警告メッセージを受け取り、
前記受け取られる資源警告メッセージ内に含まれる前記情報に基づき、前記割り当てられたＲＦスペクトル資源の少なくとも一部が前記第１の通信ネットワークによって必要とされるかどうかを前記通信サーバ内で判定し、
前記通信サーバによって、前記割り当てられたＲＦスペクトル資源の少なくとも一部が前記第１の通信ネットワークによって必要とされると判定することに応答し、割り当てられたＲＦスペクトル資源の使用を終了すべきことを前記第２の通信ネットワークに知らせ、
前記通信サーバによって、前記割り当てられたＲＦスペクトル資源の使用が前記第２の通信ネットワークによって終了された時間を明らかにする情報を含めるように、前記トランザクションデータベースを更新することを含む
ことを特徴とする動的スペクトル仲裁方法。
【請求項２】
前記第１の通信ネットワークが、警察、消防、緊急医療サービス、もしくは政府機関のうちの１つまたは複数に充てられることを特徴とする請求項１に記載の動的スペクトル仲裁方法。
【請求項３】
前記第１の通信ネットワーク内の使用可能なＲＦスペクトル資源について、複数のネットワークオペレータの間で競売を行うことをさらに含み、前記競売が、要求されたネットワーク容量、ネットワークの境界、ネットワークのサービス品質、ネットワークの地理的パラメータ、資源が要求される時間、およびサービスの持続時間パラメータのうちの少なくとも１つに関係する入札規則に従って達成され、
前記第１の通信ネットワークの使用可能なＲＦスペクトル資源の一部を第２の通信ネットワークによるアクセスおよび使用のために動的に割り当てることが、前記使用可能なＲＦスペクトル資源の一部を前記競売によって選択される通信ネットワークに動的に割り当てることをさらに含む、
請求項１に記載の動的スペクトル仲裁方法。
【請求項４】
前記第２の通信ネットワークから追加ＲＦスペクトル資源要求を受け取ることをさらに含み、
使用可能なＲＦスペクトル資源の一部を割り当てることが、前記第２の通信ネットワークから前記追加ＲＦスペクトル資源要求を受け取ることに応答して達成されることを含む、
ことを特徴とする請求項１に記載の動的スペクトル仲裁方法。
【請求項５】
前記第１の通信ネットワークの使用可能なＲＦスペクトル資源の一部を第２の通信ネットワークによるアクセスおよび使用のために割り当てることが、前記割り当てられたＲＦスペクトル資源の一部に対して前記第２の通信ネットワーク内で確立される通信セッションをハンドオフすることを特徴とする請求項１に記載の動的スペクトル仲裁方法。
【請求項６】
前記第１の通信ネットワークの使用可能なＲＦスペクトル資源の一部を第２の通信ネットワークによるアクセスおよび使用のために割り当てることが、時刻、帯域幅、通信容量、サービス処理、地理的境界、および持続時間のうちの１つまたは複数に基づいて使用可能なＲＦスペクトル資源を割り当てることを特徴とする請求項１に記載の動的スペクトル仲裁方法。
【請求項７】
前記第１の通信ネットワークおよび少なくとも１つの他の通信ネットワークから使用可能な資源をプールすることをさらに含み、前記第１の通信ネットワークの使用可能なＲＦスペクトル資源の一部を第２の通信ネットワークによるアクセスおよび使用のために割り当てることが、ＲＦスペクトル資源のプールからＲＦスペクトル資源を前記第２の通信ネットワークに割り当てることを含む、ことを特徴とする請求項１に記載の動的スペクトル仲裁方法。
【請求項８】
前記第１の通信ネットワークの使用可能なＲＦスペクトル資源の一部を第２の通信ネットワークによるアクセスおよび使用のために割り当てることに応答し、割り当てられた資源の使用に関する支払情報を前記第２の通信ネットワークに送ることを含むことを特徴とする請求項１に記載の動的スペクトル仲裁方法。
【請求項９】
前記ｅＮｏｄｅＢによって、前記ネットワーク資源の使用量が前記第１の閾値を上回ると判定される場合、１つまたは複数のモバイル装置の局所的サービス品質（ＱｏＳ）を格下げし、前記モバイル装置の前記局所的ＱｏＳを格下げすることは、前記モバイル装置が分類される前記層に関連する優先順位に基づいて少なくとも１つのモバイル装置の前記局所的ＱｏＳを格下げすることを含む、
ことを特徴とする請求項１に記載の動的スペクトル仲裁方法。
【請求項１０】
前記ネットワーク資源の使用量が第２の閾値を上回るかどうかを判定するため、前記ｅＮｏｄｅＢによってネットワーク資源の使用量の監視を続けて、
前記ｅＮｏｄｅＢによる前記ネットワーク資源の使用量が前記第２の閾値を上回るとの判定に応答して、結合された１つまたは複数のモバイル装置を第２のｅＮｏｄｅＢにハンドオフし、
結合された１つまたは複数のモバイル装置を第２のｅＮｏｄｅＢにハンドオフすることは、前記モバイル装置が分類される前記層に関連する前記優先順位に基づいて決定された順序でモバイル装置をハンドオフすることを含む、
ことを特徴とする請求項９に記載の動的スペクトル仲裁方法。
【請求項１１】
結合された１つまたは複数のモバイル装置を第２のｅＮｏｄｅＢにハンドオフすることは、
前記第２のｅＮｏｄｅＢが属するネットワークに基づいてモバイル装置をハンドオフすることをさらに含む
ことを特徴とする請求項１０に記載の動的スペクトル仲裁方法。
【請求項１２】
前記第２のｅＮｏｄｅＢが属するネットワークに基づいてモバイル装置をハンドオフすることは、
前記ｅＮｏｄｅＢがリース側のネットワークに属するかどうかを判定すること、
前記第２のｅＮｏｄｅＢが前記リース側のネットワークに属するかどうかを判定すること、および
前記第２のｅＮｏｄｅＢが前記リース側のネットワークに属さないと判定される場合、前記第２のｅＮｏｄｅＢが前記リース側のネットワークに対応する無線アクセスシステムに属するかどうかを判定することを含む
ことを特徴とする請求項１１に記載の動的スペクトル仲裁方法。
【請求項１３】
前記ネットワーク資源の使用量が第３の閾値を上回るかどうかを判定するため、前記ｅＮｏｄｅＢによってネットワーク資源の使用量の監視をさらに続けて、
前記ｅＮｏｄｅＢによる前記ネットワーク資源の使用量が前記第３の閾値を上回るとの判定に応答して、１つまたは複数のモバイル装置の既存のセッションを終了し、
１つまたは複数のモバイル装置の既存のセッションを終了することは、前記モバイル装置が分類される前記層に関連する前記優先順位に基づいて既存のセッションを終了することを含む
ことを特徴とする請求項１０に記載の動的スペクトル仲裁方法。
【請求項１４】
送信機および前記送信機に結合されるｅＮｏｄｅＢプロセッサを含むｅＮｏｄｅＢと、
サーバメモリ、ネットワーク通信回路、ならびに前記サーバメモリおよびネットワーク通信回路に結合されるサーバプロセッサを含むサーバと
を含むシステムであって、
前記サーバプロセッサが、
割当てに使用可能な第１の通信ネットワーク内のＲＦスペクトル資源の量を求めること、
前記第１の通信ネットワークの使用可能なＲＦスペクトル資源の一部を第２の通信ネットワークによるアクセスおよび使用のために割り当てること、
ＲＦスペクトル資源の割当ての使用を開始してもよいことを前記第２の通信ネットワークに知らせること、
前記第２の通信ネットワークによる使用のために割り当てられたＲＦスペクトル資源の量を明らかにするトランザクションを、トランザクションデータベース内に記録すること、
ｅＮｏｄｅＢによって前記第１の通信ネットワークから集められた情報を含む資源警告メッセージを受け取ること、
前記受け取られる資源警告メッセージ内に含まれる前記情報に基づき、前記割り当てられたＲＦスペクトル資源の少なくとも一部が前記第１の通信ネットワークによって必要とされるかどうかを判定すること、
前記割り当てられたＲＦスペクトル資源の少なくとも一部が前記第１の通信ネットワークによって必要とされると判定することに応答し、割り当てられたＲＦスペクトル資源の使用を終了すべきことを前記第２の通信ネットワークに知らせること、および
前記割り当てられたＲＦスペクトル資源の使用が前記第２の通信ネットワークによって終了された時間を明らかにする情報を含めるように、前記トランザクションデータベースを更新すること
を含む操作を実行するためのサーバ実行可能命令で構成され、
前記ｅＮｏｄｅＢプロセッサが、
前記第１の通信ネットワークとの通信リンクを確立すること、
複数のモバイル装置との無線通信リンクを確立すること、
前記モバイル装置を複数の層のうちの１つに分類することであって、各層は優先順位に関連付けられ、
前記第１の通信ネットワークのネットワーク資源の使用量を監視すること、
ネットワーク資源の使用量が第１の閾値を上回るかどうかを判定すること、
前記ネットワーク資源の使用量が前記第１の閾値を上回ると判定される場合、他の基地局からのさらなるモバイル装置の新たなセッションの創始およびハンドオフを制限することであって、新たなセッションの創始を制限することは、低い優先順位層に分類されたモバイル装置の新たなセッションの創始を制限することを含み、
ネットワーク資源の使用量の監視および他の基地局からの創始ならびにハンドオフの制限に基づいて前記資源警告メッセージを生成すること、および
前記資源警告メッセージを前記サーバに伝送すること
を含む操作を実行するためのプロセッサ実行可能命令で構成される、
ことを特徴とするシステム。
【請求項１５】
前記ｅＮｏｄｅＢプロセッサが、
前記ネットワーク資源の使用量が前記第１の閾値を上回ると判定される場合、１つまたは複数のモバイル装置の局所的サービス品質（ＱｏＳ）を格下げすること
をさらに含む操作を実行するためのプロセッサ実行可能命令で構成され、
前記モバイル装置の前記局所的ＱｏＳを格下げすることが、前記モバイル装置が分類される前記層に関連する優先順位に基づいて少なくとも１つのモバイル装置の前記局所的ＱｏＳを格下げすることを含む、
ことを特徴とする請求項１４に記載のシステム。
【請求項１６】
前記ｅＮｏｄｅＢプロセッサが、
前記ネットワーク資源の使用量が第２の閾値を上回るかどうかを判定するため、ネットワーク資源の使用量の監視を続けて、および
前記ネットワーク資源の使用量が前記第２の閾値を上回ると判定される場合、結合された１つまたは複数のモバイル装置を第２のｅＮｏｄｅＢにハンドオフすること、
をさらに含む操作を実行するためのプロセッサ実行可能命令で構成され、
結合された１つまたは複数のモバイル装置を第２のｅＮｏｄｅＢにハンドオフすることは、前記モバイル装置が分類される前記層に関連する前記優先順位に基づいて決定された順序でモバイル装置をハンドオフすることを含む、
ことを特徴とする請求項１５に記載のシステム。
【請求項１７】
結合された１つまたは複数のモバイル装置を第２のｅＮｏｄｅＢにハンドオフすることが、
前記第２のｅＮｏｄｅＢが属するネットワークに基づいてモバイル装置をハンドオフすること
をさらに含むように操作を実行するためのプロセッサ実行可能命令で前記ｅＮｏｄｅＢプロセッサが構成される、
ことを特徴とする請求項１６に記載のシステム。
【請求項１８】
結合された１つまたは複数のモバイル装置を第２のｅＮｏｄｅＢにハンドオフすることが、
前記ｅＮｏｄｅＢがリース側のネットワークに属するかどうかを判定すること、
前記第２のｅＮｏｄｅＢが前記リース側のネットワークに属するかどうかを判定すること、および
前記第２のｅＮｏｄｅＢが前記リース側のネットワークに属さないと判定される場合、前記第２のｅＮｏｄｅＢが前記リース側のネットワークに対応する無線アクセスシステムに属するかどうかを判定すること
をさらに含むように操作を実行するためのプロセッサ実行可能命令で前記ｅＮｏｄｅＢプロセッサが構成される、
ことを特徴とする請求項１７に記載のシステム。
【請求項１９】
前記ｅＮｏｄｅＢプロセッサが、
ネットワーク資源の使用量の監視をさらに続けて前記ネットワーク資源の使用量が第３の閾値を上回るかどうかを判定すること、および
前記ネットワーク資源の使用量が前記第３の閾値を上回ると判定される場合、１つまたは複数のモバイル装置の既存のセッションを終了すること
をさらに含む操作を実行するためのプロセッサ実行可能命令で構成され、
１つまたは複数のモバイル装置の既存のセッションを終了することは、前記モバイル装置が分類される前記層に関連する前記優先順位に基づいて既存のセッションを終了することを含む、
ことを特徴とする請求項１６に記載のシステム。
【請求項２０】
割当てに使用可能な第１の通信ネットワーク内のＲＦスペクトル資源の量を求めることが、警察、消防、緊急医療サービス、もしくは政府機関のうちの１つまたは複数に充てられる通信ネットワーク内の割当てに使用可能な前記ＲＦスペクトル資源の量を求めることを特徴とする請求項１４に記載のシステム。
【請求項２１】
前記第１の通信ネットワークの使用可能なＲＦスペクトル資源について、複数のネットワークオペレータの間で競売を行うことをさらに含む操作を実行するためのサーバ実行可能命令で前記サーバプロセッサが構成され、前記競売は、要求されたネットワーク容量、ネットワークの境界、ネットワークのサービス品質、ネットワークの地理的パラメータ、資源が要求される時間、およびサービスの持続時間パラメータのうちの少なくとも１つに関係する入札規則に従って達成され、
前記第１の通信ネットワークの使用可能なＲＦスペクトル資源の一部を前記第２の通信ネットワークによるアクセスおよび使用のために割り当てることが、前記使用可能なＲＦスペクトル資源の一部を前記競売によって選択される通信ネットワークに割り当てることを含むように前記サーバプロセッサがサーバ実行可能命令で構成される、
ことを特徴とする請求項１４に記載のシステム。
【請求項２２】
前記第２の通信ネットワークから追加ＲＦスペクトル資源要求を受け取ることをさらに含む操作を実行するためのサーバ実行可能命令で前記サーバプロセッサが構成され、
使用可能なＲＦスペクトル資源の一部を割り当てることが、前記第２の通信ネットワークから前記追加ＲＦスペクトル資源要求を受け取ることに応答して達成されるように前記サーバプロセッサがサーバ実行可能命令で構成される、
ことを特徴とする請求項１４に記載のシステム。
【請求項２３】
前記第１の通信ネットワークの使用可能なＲＦスペクトル資源の一部を前記第２の通信ネットワークによるアクセスおよび使用のために割り当てることが、
前記割り当てられたＲＦスペクトル資源の一部に対して前記第２の通信ネットワーク内で確立される通信セッションをハンドオフすること
を含むように前記サーバプロセッサがサーバ実行可能命令で構成される、
ことを特徴とする請求項１４に記載のシステム。
【請求項２４】
前記第１の通信ネットワークの使用可能なＲＦスペクトル資源の一部を前記第２の通信ネットワークによるアクセスおよび使用のために割り当てることが、
時刻、帯域幅、通信容量、サービス処理、地理的境界、および持続時間のうちの１つまたは複数に基づいて使用可能なＲＦスペクトル資源を割り当てること
を含むように前記サーバプロセッサがサーバ実行可能命令で構成される、
ことを特徴とする請求項１４に記載のシステム。
【請求項２５】
前記第１の通信ネットワークおよび少なくとも１つの他の通信ネットワークから使用可能な資源をプールすることをさらに含む操作を実行するためのサーバ実行可能命令で前記サーバプロセッサが構成され、
前記第１の通信ネットワークの使用可能なＲＦスペクトル資源の一部を前記第２の通信ネットワークによるアクセスおよび使用のために割り当てることが、ＲＦスペクトル資源のプールからＲＦスペクトル資源を前記第２の通信ネットワークに割り当てることを含むように前記サーバプロセッサがサーバ実行可能命令で構成される、
ことを特徴とする請求項１４に記載のシステム。
【請求項２６】
前記第１の通信ネットワークの使用可能なＲＦスペクトル資源の一部を前記第２の通信ネットワークによるアクセスおよび使用のために割り当てることに応答し、割り当てられた資源の使用に関する支払情報を前記第２の通信ネットワークに送ること
をさらに含む操作を実行するためのサーバ実行可能命令で前記サーバプロセッサが構成される、
ことを特徴とする請求項１４に記載のシステム。